(57)【要約】【課題】サーマル紙の表面に抽選情報を印字しても抽選情報が遮蔽されて抽選情報が目視されないようにした抽選用記録紙を提供することを目的とするものである。【解決手段】サーマル紙３は、第一基材４の表面にサーマル層５が形成され、サーマル層５の表面に第一剥離剤層６が形成されている。また、隠蔽紙１９は、第二基材７の裏面に第二粘着剤層８が形成されている。第二粘着剤層８が第一剥離剤層６に剥離可能に積層されている。そして、第二基材７は、サーマル層５に発色された抽選情報が目視で見られないような不透明な材質になっている。【選択図】図２
2016107539.tif 000002
【特許請求の範囲】
【請求項１】
第一基材の表面にサーマル層が形成されるとともに、該サーマル層の表面に第一剥離剤層が形成されたサーマル紙と、第二基材の裏面に第二粘着剤層が形成された隠蔽紙と、該第二粘着剤層が前記第一剥離剤層に対して剥離可能に積層されているとともに、前記第二基材が不透明な材質とされていることを特徴とする抽選用記録紙。
【請求項２】
第三基材の表面に形成された第三剥離剤層の台紙と、前記第一基材の裏面に第一粘着剤層が形成されるとともに、該第一粘着剤層が前記第三剥離剤層に対して剥離可能に積層されていることを特徴とする請求項１に記載の抽選用記録紙。
【発明の詳細な説明】
【技術分野】
【０００１】
本発明は、サーマル紙に抽選情報を印字した後でも不透明紙に遮蔽されて抽選情報を目視できないような抽選用記録紙に関するものである。
【背景技術】
【０００２】
従来、台紙付きラベルは、帯状の台紙に一定間隔を持って長手方向に仮着されている。ここで、台紙は、台紙基材の表面に剥離剤層が形成されている。一方、ラベルは、基材の表面にサーマル層が形成されたサーマル紙と、このサーマル紙の基材の裏面に粘着剤層が形成されている。この粘着剤層が台紙の剥離剤層に対して剥離可能に積層されている（特許文献１の従来例参照）。このような台紙付きラベルは、ロール上に巻回されてラベルプリンターに装填されてラベルに印字されながら発行され、台紙からラベルが剥離されて商品に貼着される。
【０００３】
また、剥離台紙からシール基材を剥離して、くじ片を折り目の位置で隠蔽部に重ねて折り畳んでくじ片の記録情報が表から見られないようなくじ付シールが知られている（特許文献２参照）。
【先行技術文献】
【特許文献】
【０００４】
【特許文献１】特開２０１４−１７４５２３号公報
【特許文献２】特開２００５−１８６４３２号公報
【発明の概要】
【発明が解決しようとする課題】
【０００５】
しかしながら、特許文献１の従来例の台紙付きラベルは、サーマル層に印刷されるため目視できるものでくじ用として遮蔽されているものではなかった。また、特許文献２のくじ付シールは、くじ片に予め記録情報が印刷され、このくじ片を隠蔽部に重ねて折り畳んでくじ片の記録情報が表から見られないようにしたものであって、くじ付シールに直接印刷してくじ片の記録情報が表から見られないようにしたものではなかった。
【０００６】
本発明は、上記問題に鑑みてなされたものであって、サーマル紙の表面に抽選情報を印字しても抽選情報が遮蔽されて抽選情報が目視されないようにした抽選用記録紙を提供することを目的とする。
【課題を解決するための手段】
【０００７】
上記の課題を解決するために請求項１に記載の抽選用記録紙は、第一基材の表面にサーマル層が形成されるとともに、該サーマル層の表面に第一剥離剤層が形成されたサーマル紙と、第二基材の裏面に第二粘着剤層が形成された隠蔽紙と、該第二粘着剤層が前記第一剥離剤層に対して剥離可能に積層されているとともに、前記第二基材が不透明な材質とされているものである。
【０００８】
また、上記の課題を解決するために請求項２に記載の抽選用記録紙は、第三基材の表面に形成された第三剥離剤層の台紙と、前記第一基材の裏面に第一粘着剤層が形成されるとともに、該第一粘着剤層が前記第三剥離剤層に対して剥離可能に積層されているものである。
【発明の効果】
【０００９】
請求項１に記載の抽選用記録紙は、第一基材の表面にサーマル層が形成されるとともに、該サーマル層の表面に第一剥離剤層が形成されたサーマル紙と、第二基材の裏面に第二粘着剤層が形成された隠蔽紙と、該第二粘着剤層が前記第一剥離剤層に対して剥離可能に積層されているとともに、前記第二基材が不透明な材質とされているので、抽選用記録紙に直接印字しても抽選情報が遮蔽されて目視されることがない。
【００１０】
また、請求項２に記載の抽選用記録紙は、第三基材の表面に形成された第三剥離剤層の台紙と、前記第一基材の裏面に第一粘着剤層が形成されるとともに、該第一粘着剤層が前記第三剥離剤層に対して剥離可能に積層されているので、抽選用記録紙を台紙から剥離させて商品に貼付してくじ引き付き商品とすることができる。
【図面の簡単な説明】
【００１１】
【図１】本発明に係る抽選用記録紙を斜目下から見た斜視図であって、（ａ）図は、台紙のないジャーナル紙であり、（ｂ）図は、台紙付きラベルである。
【図２】図１の断面図であって、（ａ）図は、Ａ−Ａ断面図であり、（ｂ）図は、Ｂ−Ｂ断面図である。
【図３】本発明に係る抽選用記録紙が印字されている状態のサーマルプリンターの概略断面図である。
【図４】本発明に係る抽選用記録紙の隠蔽紙がサーマル紙から一部剥離されている状態の断面図である。
【発明を実施するための形態】
【００１２】
以下の実施例にて、本発明に係る抽選用記録紙について詳述する。なお、本発明については、実施例の説明だけに限定されるものでなく、本発明の要旨を逸脱しない範囲で適宜変更可能である。
【実施例】
【００１３】
第一の実施例として、抽選用記録紙が帯状に巻回されたロール状の台紙のないジャーナル紙について説明する。図１の（ａ）図は、本発明に係る抽選用記録紙を斜目下から見た斜視図であって、台紙のないジャーナル紙である。図２の（ａ）図は、図１のＡ−Ａ断面図である。図１の（ａ）図において、抽選用記録紙としての台紙のないジャーナル紙１は、帯状に巻回されている。
【００１４】
図２の（ａ）図において、サーマル紙３は、第一基材４の表面にサーマル層５が形成されている。サーマル層５が後述するサーマルヘッド１１によって加熱されて発色する。また、サーマル層５の表面に第一剥離剤層６が形成されている。一方、第一基材４の裏面には、長手方向に一定間隔をおいてジャーナル紙１の幅方向に矩形状黒色の位置検出マーク２が形成されている。位置検出マーク２は、ジャーナル紙１の長手方向の位置決めをするために形成されている。
【００１５】
隠蔽紙１９は、第二基材７の裏面に第二粘着剤層８が形成されている。この第二粘着剤層８が第一剥離剤層６に剥離可能に積層されている。また、第二基材７は、サーマル層５が後述するサーマルヘッド１１によって加熱されて発色しても目視で見えないような不透明な材質になっている。
【００１６】
図３は、本発明に係る抽選用記録紙が印字されている状態のサーマルプリンターの概略断面である。図３において、サーマルプリンター１０は、上流側に配設されたジャーナル紙１を装填する収納部と、ジャーナル紙１を挟持して印字しながら発行させるサーマルヘッド１１とプラテンローラー１２と、位置検出マーク２を検出する位置決めセンサー１３と、ジャーナル紙１を上面から押さえるガイド９を有している。また、サーマルプリンター１０は、乱数表に基づいて抽選処理を行って抽選情報を印字することができる抽選機能を有している。
【００１７】
図２の（ａ）図および図３の（ａ）図に基づいてジャーナル紙１に抽選情報を印字する場合について説明する。ジャーナル紙１がサーマルヘッド１１とプラテンローラー１２で挟持されながら、サーマルヘッド１１からサーマル層５に加熱されて発色する。具体的には、サーマルヘッド１１の表面に発熱素子がライン状に形成されるとともに、抽選情報がドットデータに展開されて、それぞれのドットに対応する箇所の発熱素子が加熱されてサーマル層５が加熱されて発色する。ここで、第二基材７は、目視で見えないように不透明な材質になっているので、サーマル層５に発色した抽選情報が見られることはない。
【００１８】
抽選情報が印字されたジャーナル紙１は、サーマルヘッド１１とプラテンローラー１２で挟持されるとともに、駆動モーター（図示されていない）に連結されたプラテンローラー１２が回転させられることによって、サーマルプリンター１０の下流側から排出される。オペレーターは、排出されたジャーナル紙１をサーマルプリンター１０の排出口で切断する。
【００１９】
図４は、本発明に係る抽選用記録紙の隠蔽紙がサーマル紙から一部剥離されている状態の断面図である。排出されたジャーナル紙１の隠蔽紙１９がサーマル紙３から一部剥がされると第二粘着剤層８が第一剥離剤層６から剥離されてサーマル層５に印字された抽選情報が表示される。隠蔽紙がサーマル紙から一部剥がされて抽選情報が一部表示されている状態が図４に示されている。
【００２０】
次に、第二の実施例について説明する。第一の実施例と同一箇所については、同じ符号を付けて説明を省略する。図１の（ｂ）図は、本発明に係る抽選用記録紙を斜目下から見た斜視図であって、台紙付きラベルである。図２の（ｂ）図は、図１のＢ−Ｂ断面図である。図１の（ｂ）図において、抽選用記録紙としての台紙付きラベル２０は、後述するように帯状の台紙１８に長手方向にラベル１７が一定間隔を持って剥離可能に仮着された状態で巻回されている。図２の（ｂ）図において、サーマル紙２１の第一基材４の裏面に第一粘着剤層１４が形成され、サーマル紙２１と遮蔽紙１９とでラベル１７が構成されている。
【００２１】
台紙１８は、第三基材１６の表面に第三剥離剤層１５が形成されている。そして、第一粘着剤層１４が剥離可能に第三剥離剤層１５に積層されている。このように、台紙付きラベル２０は、台紙１８に剥離可能にラベル１７が仮着されている。また、第三基材１６の裏面には、位置検出マーク２がラベル１７のピッチに対応して一定間隔を持って形成されている。
【００２２】
台紙付きラベル２０の用途としては、たとえば、ラベル１７に抽選情報を印字して台紙１８から剥離させて商品などに貼付してクジ付きの商品として販売することができる。消費者は、商品に貼付されたラベル１７から遮蔽紙１９を剥離させて抽選情報を目視することができる。
【００２３】
第一および第二の実施例では、抽選用記録紙が巻回されて帯状になったジャーナル紙１または台紙付きラベル２０について説明されているが、これに限定されることなく、折り畳まれて連続した用紙でも単葉紙でも広く適用することができる。
【産業上の利用可能性】
【００２４】
バーゲン会場にクジ引きシールをジャーナル紙１として発行して集客効果を狙ったり、くじ引きラベルを台紙付きラベル２０として商品に貼付して消費者の購買意欲を刺激したり、いろいろな用途に抽選用記録紙として利用される。
【符号の説明】
【００２５】
１    ジャーナル紙
２    位置検出マーク
３    サーマル紙
４    第一基材
５    サーマル層
６    第一剥離剤層
７    第二基材
８    第二粘着剤層
９    ガイド
１０    サーマルプリンター
１１    サーマルヘッド
１２    プラテンローラー
１３    位置決めセンサー
１４    第一粘着剤層
１５    第三剥離剤層
１６    第三基材
１７    ラベル
１８    台紙
１９    遮蔽紙
２０    台紙付きラベル
２１    サーマル紙
【図１】
2016107539.tif 000003
【図２】
2016107539.tif 000004
【図３】
2016107539.tif 000005
【図４】
2016107539.tif 000006